(57)【要約】  オフポンプ手術用の外科的コアリングシステムを使用するためのバルーンカテーテルは、患者の心臓の左心室の心尖孔を塞ぐように構成された種々の形状のバルーン部分を有する。
2012533358.tif 000002
【特許請求の範囲】
【請求項１】
人体器官内に開口部を開ける外科的コアリングシステムであって、
ガイドワイヤと、
コアリング工具であって、
開放遠位端と、閉鎖近位端とを有する中空体であって、前記開放遠位端が、切刃を有し、前記中空体からの吸引を施すための真空接続を有する中空体と、
前記中空体内で同軸上に配置され、かつ前記開放遠位端を越えて延伸する伸長部材であって、前記ガイドワイヤが当該伸長部材の内部に受けられるようになっている伸長部材と、を有するコアリング工具と、
前記ガイドワイヤと同軸上に取り付けられるように構成されたバルーンカテーテルであって、遠位端を有するカテーテル本体と、前記カテーテル本体の前記遠位端に隣接したカテーテル本体と結合した少なくとも第１及び第２の膨張式の拡張型バルーン部分とを含み、前記少なくとも第１及び第２の膨張式の拡張型バルーン部分が、カテーテル本体に沿って互いに離間され、かつ前記少なくとも第１及び第２の膨張式の拡張型バルーン部分が膨張すると、前記少なくとも第１及び第２のバルーン部分の各々が、コアリング工具の直径よりも大きな直径を有し、それにより前記少なくとも第１のバルーン部分が、前記人体器官内の孔を塞ぐことができ、かつ前記少なくとも第２のバルーン部分が、前記人体器官内の前記開口部に対して前記バルーンカテーテルを脱着可能に固着できる、バルーンカテーテルと、
を有する外科的コアリングシステム。
【請求項２】
前記少なくとも第１の膨張式の拡張型バルーン部分が、概して球形の形状を有する請求項１に記載の外科的コアリングシステム。
【請求項３】
前記少なくとも第２の膨張式の拡張型バルーン部分が、概して球形の形状を有する請求項２に記載の外科的コアリングシステム。
【請求項４】
前記少なくとも第２の膨張式の拡張型バルーン部分が、概して卵形の形状を有する請求項２に記載の外科的コアリングシステム。
【請求項５】
前記少なくとも第１の膨張式の拡張型バルーン部分が、概して円錐台の形状を有する請求項１に記載の外科的コアリングシステム。
【請求項６】
前記少なくとも第２の膨張式の拡張型バルーン部分が、概して円錐台の形状を有する請求項５に記載の外科的コアリングシステム。
【請求項７】
前記少なくとも第１及び第２の膨張式の拡張型バルーン部分の中間に配置された第３の膨張式の拡張型バルーン部分を有する請求項１に記載の外科的コアリングシステム。
【請求項８】
前記第３の膨張式の拡張型バルーン部分が、概して円筒形の形状を有する請求項７に記載の外科的コアリングシステム。
【請求項９】
第３の膨張式の拡張型バルーン部分が、前記人体器官内で開口部内に配置されるように構成される請求項８に記載の外科的コアリングシステム。
【請求項１０】
人体器官内で開口部を開けるための外科的コアリングシステムを使用するためのバルーンカテーテルであって、
遠位端と、前記遠位端に隣接して配置された第１及び第２の膨張式の拡張型バルーン部分とを有する伸長カテーテル本体と、
概して楕円形の形状と、実質的に円形の断面形状とを有する第１のバルーン部分と、
概して円筒形の形状を有する第２のバルーン部分と、
を有するバルーンカテーテル。
【請求項１１】
前記第１及び第２のバルーン部分が、互いに一体的に形成される請求項１０に記載のバルーンカテーテル。
【請求項１２】
前記第１のバルーン部分を膨張及び拡張すると、前記第１のバルーン部分が、前記人体器官内の前記開口部よりも大きい直径を有する請求項１０に記載のバルーンカテーテル。
【請求項１３】
前記第２のバルーン部分を膨張及び拡張すると、前記第２のバルーン部分が、前記人体器官内の前記開口部の直径と実質的に等しい直径を有する請求項１０に記載のバルーンカテーテル。
【請求項１４】
湾曲し、面取りした壁面が、前記第１及び第２のバルーン部分の間に配置される請求項１０に記載のバルーンカテーテル。
【請求項１５】
湾曲し、面取りした壁面が、前記第２のバルーン部分の遠位端に隣接して配置される請求項１０に記載のバルーンカテーテル。
【請求項１６】
前記第２のバルーン部分が、概して円錐台の形状を有する遠位端を有し、かつ前記湾曲し、面取りした壁面が、前記第２のバルーン部分の前記遠位端と、円筒形形状を有する前記第２のバルーン部分の一部との間に配置される請求項１５に記載のバルーンカテーテル。
【請求項１７】
前記人体器官が、開口部に隣接して厚さを有し、かつ前記第２のバルーン部分が、前記人体器官の厚さよりも大きい長さを有する請求項１０に記載のバルーンカテーテル。
【請求項１８】
人体器官内に開口部を開ける外科的コアリングシステムであって、
ガイドワイヤと、
開放遠位端と、閉鎖近位端とを有する中空体を有するコアリング工具であって、前記開放遠位端が切刃を有し、前記中空体が、前記中空体からの吸引を施すための真空接続を有するコアリング工具と、
前記ガイドワイヤに同軸上に取り付けられるように構成されたバルーンカテーテルであって、
遠位端と、前記遠位端に隣接して配置された第１及び第２の膨張式の拡張型バルーン部分とを有する伸長カテーテル本体であって、前記第１のバルーン部分が、概して楕円形の形状と、実質的に円形の断面形状とを有し、かつ前記第２バルーン部分が、概して円筒形の形状を有する伸長カテーテル本体、を有するバルーンカテーテルと、
を有する外科的コアリングシステム。
【請求項１９】
前記第１及び第２のバルーン部分が、互いに一体的に形成される請求項１８に記載のバルーンカテーテル。
【請求項２０】
前記第１のバルーン部分を膨張及び拡張すると、前記第１のバルーン部分が、前記人体器官内の前記開口部よりも大きい直径を有する請求項１８に記載のバルーンカテーテル。
【請求項２１】
前記第２のバルーン部分を膨張及び拡張すると、前記第２のバルーン部分が、前記人体器官内の前記開口部の直径と実質的に等しい直径を有する請求項１８に記載のバルーンカテーテル。
【請求項２２】
湾曲し、面取りした壁面が、前記第１及び第２のバルーン部分の間に配置される請求項１８に記載のバルーンカテーテル。
【請求項２３】
湾曲し、面取りした壁面が、前記第２のバルーン部分の遠位端に隣接して配置される請求項１８に記載のバルーンカテーテル。
【請求項２４】
前記第２のバルーン部分が、概して円錐台の形状を有する遠位端を有し、かつ前記湾曲し、面取りした壁面が、前記第２のバルーン部分の前記遠位端と、円筒形形状を有する前記第２のバルーン部分の一部との間に配置される請求項２３に記載のバルーンカテーテル。
【請求項２５】
前記人体器官が、開口部に隣接して厚さを有し、かつ前記第２のバルーン部分が、前記人体器官の厚さよりも大きい長さを有する請求項１８に記載のバルーンカテーテル。
【発明の詳細な説明】
【技術分野】
【０００１】
関連出願
本出願は、「外科的コアリングシステムと使用するためのバルーンカテーテル」と題して２００９年７月１４日に出願された米国特許出願第６１／２２５，３４４号の利益及び優先権の利益を主張する。
【０００２】
技術分野
本開示は、概して外科手術の分野に関する。更に具体的には、本開示は、外科的コアリングシステムと使用するためのバルーンカテーテルに関する。バルーンカテーテル及び外科的コアリングシステムは、オフポンプ手術に使用できる。
【背景技術】
【０００３】
背景技術
埋め込み型左心室補助装置（「ＬＶＡＤ」）の移植に関連して、心尖孔は典型的には、患者の心臓の左心室の心尖に開けられる。伝統的に患者は、ＬＶＡＤ移植手順の間、通常、心肺バイパスと呼ばれる人工心肺装置に接続される。現在、米国特許第７，７４４，５２７号となった、外科的コアリングシステムと題した特許文献１にて論じたように、医師は人工心肺装置を使用しない外科手術手技又はオフポンプ手術を探索し始めた。
【先行技術文献】
【特許文献】
【０００４】
【特許文献１】米国特許出願公開第２００８／０００９８９１号明細書
【発明の概要】
【０００５】
発明の概要
以下に記載する、実例となる実施態様に従って、外科的コアリングシステムと使用するための本バルーンカテーテルは、左心室の心尖に開けられた心尖孔を塞ぎ、かつ心尖孔に対して塞がれた関係でバルーンカテーテルを脱着可能に固着するための２つの膨張式の拡張型バルーン部分を含むことができる。
【０００６】
以下に記載する、もう１つの実例となる実施態様に従って、本バルーンカテーテルは、左心室の心尖に開けられた心尖孔を塞ぐための第１の膨張式の拡張型バルーン部分と、心尖孔内に配置されるように構成された第２の膨張式の拡張型バルーン部分とを含むことができる。
【０００７】
本バルーンカテーテルは、添付図面と併用される次の記載を参照して理解できる。
【図面の簡単な説明】
【０００８】
図面の簡単な説明
【図１】心臓のような器官のコアリングを示す、外科的コアリング工具及びバルーンカテーテルの部分断面図である。
【図２】心臓のような器官のコアリングを示す、外科的コアリング工具及びバルーンカテーテルの部分断面図である。
【図３】心臓のような器官のコアリングを示す、外科的コアリング工具及びバルーンカテーテルの部分断面図である。
【図４】外科的コアリングシステムで使用されるバルーンカテーテルの部分断面図である。
【図５】本バルーンカテーテルの実施態様の部分断面上面図である。
【図６】図５のバルーンカテーテルの部分断面正面図である。
【図７】本バルーンカテーテルのもう１つの実施態様の部分断面図である。
【図８】本バルーンカテーテルのもう１つの実施態様の部分断面図である。
【図９】本バルーンカテーテルのもう１つの実施態様の部分断面図である。
【発明を実施するための形態】
【０００９】
本バルーンカテーテルの幾つかの実施態様は、本明細書に示す好ましい実例となる実施態様に関連して記載されるが、本発明をこれらの実施態様に限定するとは意図されないことが理解されるであろう。逆に、添付の請求項によって定義される本発明の精神及び範囲に含まれ得るような全ての代替物、修正及び同等物をカバーすることが意図される。原寸に比例していない製図において、同じ参照数字は、明細書中にわたり、かつ製図中で、同じ構造を有する構成部品及び要素に関して使用され、かつダッシュ記号を付した参照数字は、ダッシュ記号を付さない同じ参照数字を有する構成部品及び要素に類似した機能及び構造を有する構成部品及び要素に関して使用される。
【００１０】
具体的な実施態様の詳細な説明
ＬＶＡＤ（図示せず）の移植に関連した図１〜図３を参照し、かつ参照により本明細書に組み込まれる、現在、米国特許第７，７４４，５２７号となった、米国特許出願公開第２００８／０００９８９１号で論じたように、コアリング工具３００は、心腔３９０の左心室の心尖内で孔又は心尖孔３９３を形成するために使用でき、かつバルーンカテーテル５００は、コアリング工具３００と組み合わせて利用できる。図２に見られるように、心臓組織３１０の切片は、心腔３９０の壁３９１又は左心室の心尖から除去され、壁３９１内に孔又は心尖孔３９３を形成する。図２〜図４を参照すると、コアリング工具３００が、心腔３９０から除去されるにつれ、バルーンカテーテル５００の膨張したバルーン５０１は、心尖孔又は組織空洞３９３を塞ぎ、かつ膨張したバルーンカテーテル５００の一部は、図３及び図４に示すように、心腔３９０を含む鼓動する心臓によって生じた外向きの圧力により心尖孔３９３への移動が支援される。従って、バルーンカテーテル５００は、心臓が、心臓組織３１０の切除又はコアリングによって残された心尖孔３９３を通って血液を噴き出すことを防ぐために、プラグ又はシールの役割を果たす。その上、バルーンカテーテル５００は、切除された心臓組織３１０が、心腔３９０の左心室に戻ることを防ぐための更なる措置である。
【００１１】
外科的コアリングシステムの実施態様は、コアリング工具３００と、ガイドワイヤ３４０とを含むことができる。コアリング工具３００は、中空体３１０と、真空室３０４と、内部伸長部材３１３と、切刃４１７を有するコアリング部分３０２とを含むことができる。コアリング部分３０２及び真空室３０４は、互いに一体的に形成でき、かつ開放遠位端４１１と、閉鎖近位端４０６とを有する均一の中空体４０２を含むことができる。閉鎖近位端４０６は、中空体４０２からの吸引又は吸引力の適用を可能にするために、真空接続４２３を有する。伸長部材３１３は、中空体４０２内で同軸上に配置され、かつ開放遠位端４１１を越えて延伸し、それによりガイドワイヤ３４０は、伸長部材３１３内で受けられることができ、かつそれにより伸長部材３１３は、ガイドワイヤ３４０に挿入されるように構成される。
【００１２】
図５及び図６を参照すると、本バルーンカテーテル６００の実施態様は、心腔３９０の壁３９１又は左心室の心尖内に形成された心尖孔３９３に対して塞がれた、膨張した形状で示される。バルーンカテーテル６００は、以下に記載するように壁３９１内に開けられた心尖孔３９３を塞ぎ、かつ心尖孔３９３に対して塞がれた関係でバルーンカテーテル６００を脱着可能に固着するように構成された、２つの膨張式の拡張型バルーン部分６１０、６５０を好ましくは有する。カテーテル６００は、患者の大腿動脈を通って挿入されるように構成された従来の可撓性カテーテル本体６０１を含むことができ、それにより膨張されない（図示せず）バルーン部分６１０、６５０は、当初、心腔３９０内に配置できる。カテーテル６００は、バルーン部分６１０、６５０を拡張するための従来の膨張液又はガスを通過させ、かつ従来のガイドワイヤ（図示せず）を受けるための従来のポート６０２も含むことができる。２つの拡張型バルーン部分６１０、６５０は、カテーテル本体６０１の遠位端６０３に概して配置される。
【００１３】
図５及び図６に見られるように、第１の膨張式の拡張型バルーン部分６１０は、図５及び図６に示すように拡張及び膨張される時、概して球形の形状を有することができる。第１の膨張式の拡張型バルーン部分６１０は好ましくは、図５及び図６に示すように膨張及び拡張されると、概して球形の形状を有し、かつ心尖孔３９３に隣接した心腔３９０の壁３９１の内面３９２に当接すると、心尖孔３９３を通って心腔３９０内から血液（図示せず）が出ることを防ぐために、開けられた心尖孔３９３を塞ぐ膨張式の拡張型バルーン６１１であっても良い。
【００１４】
なおも図５及び図６を参照すると、カテーテル６００の第２の膨張式の拡張型バルーン部分６５０は、図５及び図６に見られるように拡張及び膨張される時、概して球形の形状を同様に有することができる。好ましくは第２の膨張式の拡張型バルーン部分６５０は、膨張及び拡張すると、図５及び図６に示す概して球形の形状を有する第２の膨張式の拡張型バルーン６１２である。第２のバルーン６１２を膨張及び拡張すると、壁３９１の外壁面３９４に隣接し、かつ心尖孔３９３に隣接した位置で、第２のバルーン６１２は、バルーンカテーテルが、心腔３９０に引き戻せない又は後退できないように、心尖孔３９３に対してバルーンカテーテル６００を脱着可能に固着する働きをする。好ましくは、バルーン６１２は、心尖孔３９３に対して塞がれた関係でバルーンカテーテル６００を脱着可能に固着する働きをする。この点に関して、第２のバルーン６１２が図５及び図６に示すように、以下で記載するように膨張及び拡張された後、拡張されたバルーン６１２は、心尖孔３９３に対して塞がれた関係でカテーテル６００の第１のバルーン部分６１０又はバルーン６１１を脱着可能に固着する。力が、バルーンカテーテル６００の近位端６０４に向かう方向でカテーテル本体６０１に及ぼされるならば、膨張された第２のバルーン６１２は、心尖孔３９３に対する塞がれた関係から離れる、第１のバルーン部分６１０の運動を防ぐために、心尖孔３９３に隣接した壁３９１の外壁面３９４を圧迫する。
【００１５】
所望であれば、バルーンカテーテル６００は、第１及び第２のバルーン部分６１０、６５０の中間に配置された第３の膨張式の拡張型バルーン部分６６０も含むことができる。第３のバルーン部分６６０は、好ましくは概して円筒形の形状を有し、かつ第３の拡張型バルーン部分６６０を膨張すると、心尖孔３９３内に嵌合するような大きさに作られる。好ましくは、第３のバルーン部分６６０は、図５及び図６に示すように概して円筒形の形状と、カテーテル本体６０１に沿って見る時に、心尖孔３９３の円形断面形状に対応する概して円形の断面形状とを有する膨張式の拡張型バルーン６６１である。心尖孔３９３が、四角形、六角形、長円形等のような非円形断面形状を有するならば、第３のバルーン部分６６０の断面形状は、対応する、一致する断面形状によって形成できる。同様に、心尖孔３９３が、概して非円形の断面形状を有するならば、第１及び第２のバルーン部分６１０、６５０は、膨張及び拡張すると、類似した、一致する断面形状を与えられ得るか、又は球形状で、なおも利用できる。
【００１６】
第３の膨張式の拡張型バルーン部分６６０が利用されるならば、第１のバルーン部分６１０と一体的に、かつそれにより膨張及び拡張可能に形成できるか、あるいは、膨張液又はガスの供給のために、カテーテル本体６０１内で適切な内腔、又は通路（図示せず）を提供することによるように、それぞれの別個の膨張及び拡張能力を提供でき、それにより第３のバルーン部分６６０は、独立して拡張及び膨張できる。
【００１７】
全ての拡張型バルーン部分６１０、６５０、６６０は、図５及び図６に示すように膨張及び拡張される必要な能力と、人体内で利用される必要な特性とを有する、いかなる適切な材料からも形成できる。
【００１８】
操作の際に、第１及び第２のバルーン部分６１０、６５０、及び利用されるならば、第３のバルーン部分６６０は、図１及び図２でバルーンカテーテル５００に対して概して示されるように、カテーテル本体６０１、並びにバルーン部分６１０、６５０及び６６０が患者の大腿動脈に、かつ心腔３９０の壁３９１の内壁面３９２に概して隣接した心腔３９０内の位置に通過することを可能にするために、拡張されない又は膨張されない形状で当初配置される。バルーンカテーテル６００が、図２に示すように心尖孔３９３を開ける前に、又は心尖孔３９３がコアリング工具３００によって形成された後、心腔３９０の内壁面３９２に隣接して配置される時、第１のバルーン部分６１０は、図５及び図６に示される形状に拡張及び膨張される。この時点で、第２のバルーン部分６５０は、収縮し、かつ拡張されない形状に留まる。第３のバルーン部分６６０が利用されるならば、第１のバルーン部分６１０が拡張及び膨張される時に、第３のバルーン部分６６０も拡張及び膨張できる。
【００１９】
切除された組織３１０を除去し、かつコアリング工具３００を心尖孔３９３から除去すると、拡張したバルーン部分６１０、及び利用されるならばバルーン部分６６０は、カテーテル５００に対して図３及び図４に示されるのと同じ方法で、心尖孔３９３に通される。第１のバルーン部分６１０が、心尖孔３９３と塞ぐ関係で配置され、かつ心尖孔３９３に隣接した心腔３９０の内壁面３９２に力を及ぼした後に、第２のバルーン部分６５０は、図５及び図６に示すように拡張及び膨張される。第３のバルーン部分６６０が利用されるならば、第３のバルーン部分６５０も、第３のバルーン部分６６０が心尖孔３９３内に受けられる後に、膨張及び拡張できる。先に記載したように、カテーテル本体６０１が、カテーテル６００の近位端６０４に向かう方向で移動することになるように、力がカテーテル本体６０１に及ぼされるならば、第２のバルーン部分６５０は、第１のバルーン部分６１０を固着するか、又は第１のバルーン部分６１０が心尖孔３９３に対して塞がれた配置から離れることを抑制するために、壁３９１の外壁面３９４に対して力を及ぼす。外科医が、ＬＶＡＤを心尖孔３９３に対して結合させた後、バルーン部分６１０、６５０及び利用されるならばバルーン部分６６０は、バルーンカテーテル６００を患者から除去できるように収縮される。
【００２０】
バルーンカテーテル６００が、患者の心臓に開口部を開けるコアリング工具の使用に関連して記載されたが、バルーンカテーテル６００は、膀胱、胃、肝臓等のような組織の規定部分の切除を必要とする他の器官又は血管に手術をするコアリング工具に関連して利用できることが理解されるべきであることに注目すべきである。
【００２１】
図７に関して、バルーンカテーテル６００’のもう１つの実施態様が示される。カテーテル６００’は、第１及び第２の膨張式の拡張型バルーン部分６１０’、６５０’を有する。カテーテル６００の第１及び第２のバルーン部分６１０、６５０が、概して同じ断面の大きさ及び形を有するのに対して、第１及び第２のバルーン部分６１０’、６５０’の形及び直径は異なっており、かつバルーンカテーテル６００’は、図５及び図６のカテーテル６００において６６０で見出されるような第３のバルーン部分を利用しない。バルーン部分６１０’、６５０’は、概して球形の形状、又は長円形の形状、又は卵形の形状を有することができ、かつ第２のバルーン部分６５０’は、第１のバルーン部分６１０’よりも小さくても良い。バルーンカテーテル６００’の操作、構造及び利用は、図５及び図６のカテーテル６００に関連して先に記載されたものと実質的に同じである。
【００２２】
図８に関して、第１及び第２の膨張式の拡張型バルーン部分６１０”及び６５０”を有する、バルーンカテーテル６００”のもう１つの実施態様が示される。第１及び第２のバルーン部分６１０”及び６５０”が、図８に示すように膨張及び拡張される時、各々が図８に示すように、カテーテル本体に沿って見た時に概して円形の断面形状を有する概して円錐台の形状を有することができ、かつ第２のバルーン部分６５０”は、第１のバルーン部分６１０”よりも概して小さい直径又は大きさを有する。この場合もやはり、カテーテル６００”の操作、構造及び利用は、図５及び図６のカテーテル６００の操作及び利用に関連して記載されたものと実質的に同じである。
【００２３】
図９に関して、第１及び第２の膨張式の拡張型バルーン部分６１０”’及び７００を有する、バルーンカテーテル６００”’のもう１つの実施態様が示される。第１及び第２のバルーン部分６１０”’及び７００が、図９に示すように膨張及び拡張される時、第１のバルーン部分６１０”’は、図９に示すようにバルーン部分６１０”’側から見た時に概して長円形又は楕円形の形状を有する。バルーン部分６１０”’の上部６１５は、除去又は切頂され、その結果バルーン部分６１０”’が、図９に示すように切頂した楕円形の形状を有するとも考えられ得る。バルーン部分６１０”’を膨張及び拡張すると、バルーン部分６１０”’の上部６１５は、心尖孔３９３に隣接した心腔３９０又は他の器官（図示せず）の壁３９１の内面３９２に当接し、かつ心尖孔３９３を通って心腔３９０又は他の器官内から血液（図示せず）が出ることを防ぐために、開けられた心尖孔３９３を塞ぐ。
【００２４】
なおも図９に関して、第２の膨張式の拡張型バルーン部分７００は、好ましくは概して円筒形の形状を有し、かつ第２の拡張型バルーン部分７００が膨張すると、心尖孔３９３内に嵌合するような大きさに作られる。第２のバルーン部分７００は、好ましくは心尖孔３９３の円形断面形状に対応する、概して円形の形状を有する。心尖孔３９３が、四角形、六角形、長円形等のような非円形断面形状を有するならば、第２のバルーン部分７００の断面形状は、対応する、一致する断面形状によって形成できる。好ましくは、第１及び第２の拡張型バルーン部分６１０”’及び７００は、互いに一体的に形成され、かつ従来のブロー成形工程によるように、容易に形成できる単一の膨張式の拡張型バルーン７０１を形成できる。バルーン７０１は、カテーテル本体６０１の遠位端６０３に実質的に隣接して配置される概して円筒形のバルーン部分７００を有し、かつ概して楕円形の断面形状を有する第１の延伸可能なバルーン部分６１０”’は、バルーン７０１の近位端６１６に向かって第２のバルーン部分７００の下に配置される。
【００２５】
なおも図９を参照すると、バルーン７０１は、第１及び第２のバルーン部分６１０”’及び７００の間に配置された、湾曲し、面取りした壁面７０５を含むことができる。バルーン７０１の上部又は遠位端６１７は、好ましくは概して円錐台の壁面７０６を有し、湾曲し、面取りした壁面７０７が、壁面７０６と、概して円筒形の形状のバルーン部分７００との間に配置される。円錐台の壁面７０６は、バルーンカテーテル６００”’が、心腔３９０へのバルーンカテーテル６００”’の送達中に、当初の収縮された形状にある時、好適であると考えられる。概して楕円形状のバルーン部分６１０”’も、その心腔３９０への送達を容易にすることにおいて好適であると考えられる。バルーン７０１の近位端６１６から心腔３９０の内面３９２まで測定される第１のバルーン部分６１０”’の高さは、好ましくは他の第１のバルーン部分６１０’、６１０”の高さよりも小さく、そのことは、バルーン７０１の送達の容易さを提供し、かつ図９に示す所望の形状に膨張するために容易である。第１のバルーン部分６１０”’の球形構造も、図９に示すように、心腔３９０内で心尖孔３９２を十分に塞ぎ続けられる十分な剛性を含み、心尖孔３９３の十分なシールを提供すると考えられる。好ましくは、第２のバルーン部分７００の長さは、人体器官の壁３９１の厚さよりも大きく、それによりバルーンカテーテル６００”’は、異なる人体器官の壁厚を有する異なる患者の人体器官の壁に関連して使用できる。
【００２６】
本バルーンカテーテルの具体的な実施態様が、記載され、かつ示された。添付の請求項によって定義される、本発明の精神及び範囲から逸脱せずに、変更及び修正がなされ得ることが当業者に理解されるであろう。
【図１】
2012533358.tif 000003
【図２】
2012533358.tif 000004
【図３】
2012533358.tif 000005
【図４】
2012533358.tif 000006
【図５】
2012533358.tif 000007
【図６】
2012533358.tif 000008
【図７】
2012533358.tif 000009
【図８】
2012533358.tif 000010
【図９】
2012533358.tif 000011
【国際調査報告】
2012533358.tif 000012
2012533358.tif 000013
2012533358.tif 000014
2012533358.tif 000015
2012533358.tif 000016